(57)【要約】      （修正有）【課題】用紙の上面側が粘着面である場合に、切断用紙にホコリを付着させないようにすること。【解決手段】用紙３を搬送する第一の搬送手段と、用紙の搬送方向と直交する方向に移動しながら記録ヘッドを用いて用紙に対して印刷を行なうキャリッジ２と、用紙の搬送方向の位置を検出する位置検出手段と、用紙の切断を行なう切断手段１２と、印刷済みの切断された切断用紙を搬送する第二の搬送手段と、を備えた画像形成装置において、切断後に印刷前の用紙を印刷位置まで引き戻すと同時に、印刷済みの切断用紙を引き戻す引き戻し手段を有する。【選択図】図２
2014231186.tif 000002
【特許請求の範囲】
【請求項１】
用紙を搬送する第一の搬送手段と、
前記用紙の搬送方向と直交する方向に移動しながら記録ヘッドを用いて前記用紙に対して印刷を行なうキャリッジと、
前記用紙の搬送方向の位置を検出する位置検出手段と、
前記用紙の切断を行なう切断手段と、
印刷済みの切断された切断用紙を搬送する第二の搬送手段と、を備えた画像形成装置において、
切断後に印刷前の用紙を印刷位置まで引き戻すと同時に、前記切断用紙を引き戻す引き戻し手段を有することを特徴とする画像形成装置。
【請求項２】
前記引き戻し手段による引き戻しは、環境パラメータにより実施有無を切り替えることを特徴とする請求項１記載の画像形成装置。
【請求項３】
前記環境パラメータは、湿度であることを特徴とする請求項２記載の画像形成装置。
【請求項４】
前記引き戻し手段による引き戻し量は、印刷済みの切断用紙の長さによって切り替える請求項１から３のいずれか一項記載の画像形成装置。
【請求項５】
前記引き戻し量は、印刷済みの切断用紙を外気に触れない位置まで搬送可能な量であることを特徴とする請求項２または請求項３記載の画像形成装置。
【請求項６】
前記引き戻し手段は、プリンタドライバ上で有効/無効を選択可能なことを特徴とする請求項１から５のいずれか一項に記載の画像形成装置。
【請求項７】
前記引き戻し手段は、操作パネル上で有効/無効を選択可能なことを特徴とする請求項１から５のいずれか一項記載の画像形成装置。
【請求項８】
画像形成装置のコンピュータに、
第一の搬送手段が用紙を搬送する手順、
キャリッジが、前記用紙の搬送方向と直交する方向に移動しながら記録ヘッドを用いて前記用紙に対して印刷を行なう手順、
位置検出手段が、前記用紙の搬送方向の位置を検出する手順、
切断手段が、前記用紙の切断を行なう手順、
第二の搬送手段が、印刷済みの切断された切断用紙を搬送する手順、を実行させるプログラムにおいて、
前記コンピュータに引き戻し手段が、切断後に印刷前の用紙を印刷位置まで引き戻すと同時に、印刷済みの切断用紙を引き戻す手順を実行させることを特徴とするプログラム。
【請求項９】
請求項８記載のプログラムを記憶したことを特徴とする記憶媒体。
【発明の詳細な説明】
【技術分野】
【０００１】
本発明は、画像形成装置、プログラム、及び記憶媒体に関する。
【背景技術】
【０００２】
印刷機構と切断機構とを備えたインクジェット方式のラベルプリンタにおいて、印刷後に連続用紙を切断位置まで搬送して切断し、連続用紙と切断用紙とを切り離した後、連続用紙を印刷位置まで引き戻して印刷を再開する技術が既に知られている。
【０００３】
しかし、用紙の上面側が粘着面である場合、切断用紙はプリンタの外部で上面が外気にさらされた状態となるので、埃が付着しやすく、かつ粘着力が失われてしまうという問題があった。
【０００４】
このような問題を解決するため、種々の提案がなされている（例えば、特許文献１参照）。
特許文献１に記載の発明は、「ラベルプリンタ」に関するものであり、連続用紙を切断しながら印刷する目的で、切断後に切断用紙は切断位置に残し、連続用紙を印刷位置まで引き戻す構成が開示されている。
【発明の概要】
【発明が解決しようとする課題】
【０００５】
しかしながら、特許文献１に記載の技術では、切断用紙の上面が外気にさらされて埃が付着しやすいというという問題は解消できていない。
【０００６】
そこで、本発明の目的は、用紙の上面側が粘着面である場合に、切断用紙に埃を付着させないようにすることにある。
【課題を解決するための手段】
【０００７】
上記課題を解決するため、請求項１に記載の発明は、用紙を搬送する第一の搬送手段と、前記用紙の搬送方向と直交する方向に移動しながら記録ヘッドを用いて前記用紙に対して印刷を行なうキャリッジと、前記用紙の搬送方向の位置を検出する位置検出手段と、前記用紙の切断を行なう切断手段と、印刷済みの切断された切断用紙を搬送する第二の搬送手段と、を備えた画像形成装置において、切断後に印刷前の用紙を印刷位置まで引き戻すと同時に、印刷済みの切断用紙を引き戻す引き戻し手段を有することを特徴とする。
【発明の効果】
【０００８】
本発明によれば、用紙の上面側が粘着面である場合に、切断用紙に埃を付着させないようにすることができる。
【図面の簡単な説明】
【０００９】
【図１】画像形成装置の透視状態の斜視図である。
【図２】インクジェット記録方式を用いた画像形成装置の側面概略図である。
【図３】図２の搬送ベルト周辺についての斜視図である。
【図４】本実施形態の画像形成装置の制御部のブロック図の一例である。
【図５】本画像形成装置の制御処理部の概要について説明するための説明図である。
【図６】用紙を印刷してから切断位置まで搬送するまでの状態を示す説明図である。
【図７】用紙の切断位置での切断の状態を示す説明図である。
【図８】用紙の印刷後の引き戻しを説明するための説明図である。
【図９】従来の係る画像形成装置の動作を説明するためのフローチャートの一例である。
【図１０】切断後の用紙に埃が付着している状態を示す図である。
【図１１】一実施形態に係る画像形成装置の概念についての説明図である。
【図１２】図11に示した画像形成装置の動作を説明するためのフローチャートの一例である。
【図１３】環境、特に湿度による引き戻し判断について説明するための説明図である。
【図１４】湿度による引き戻しの動作のフローチャートの一例である。
【図１５】用紙長に依存した引き戻し量についての説明図である。
【図１６】用紙長に依存した引き戻し量についての説明図である。
【図１７】用紙長に依存した引き戻しについての動作を示すフローチャートの一例である。
【図１８】装置構成について説明するための説明図である。
【図１９】PCのプリンタドライバのモニタの一例である。
【図２０】操作パネルの一例である。
【発明を実施するための形態】
【００１０】
＜概  要＞
本発明の実施の形態を説明する。本発明は、連続用紙の切断後の切断用紙に際して、以下の特徴を有する。
要するに、本実施形態は、埃が付着しやすい環境では、切断用紙をプリンタ内部へ引き戻して外気にさらされないようにするものである。
本発明の特徴について、以下の図面を用いて詳細に解説する。
【００１１】
＜実施形態＞
［構  成］
以下、本発明の対象装置である、インクジェット記録方式を用いた画像形成装置の印刷機構の構成部について述べる。
図１は、画像形成装置の透視状態の斜視図である。
同図に示す画像形成装置は、ロールラベルと呼ばれるロール状の用紙3を搬送する搬送部と、印刷手段としてのキャリッジ2と、用紙3を切断する切断機構12のカッターと、排紙ローラ13と、を有する。
【００１２】
加圧コロR1,R2は用紙3を搬送ベルト4上に押さえる機能を有する。
【００１３】
図２は、インクジェット記録方式を用いた画像形成装置の側面概略図であり、画像形成装置内部の機構構成を表している。
インクジェット方式を用いた画像形成装置1は、装置内部に画像を形成するための機構を備え、用紙3にインク滴を吐出する記録ヘッドを搭載したキャリッジ2を装置内部に備える。
用紙3は、片面に粘着層を有する。粘着層は図では用紙3の上側に形成されている。用紙3は図２に示す位置にセットされ、搬送部の入り口としての給紙補助ローラ7と搬送ベルト4との間へ先端が挿入される。搬送部は搬送ベルト4とローラ6a,6bとで構成され、ローラ6bにより矢印P1方向にテンションが付加されている。搬送ベルト4の表面は非粘着の表面処理が施されている。
用紙3の先端は、搬送ベルト4と給紙補助ローラ7との間の搬送入口部11に挿入され、搬送ベルト4の上面にて搬送される。
搬送ベルト4の端部の下面には用紙先端検知センサ9が設けられており、用紙3の先端位置を検出する。
【００１４】
ここで、検出された情報を元に搬送方向への移動距離を算出し、用紙3は印刷可能な領域まで搬送される。この搬送距離を制御するための機構は次の図３で説明する。
搬送ベルト4には無数の穴が設けられており、印刷領域近辺に配置されたファン8により搬送部の内側方向（矢印P2方向）に吸引される。このエア吸引により用紙3が搬送ベルト4上に引き寄せられ安定した搬送が行われ、印刷動作における平面性が確保される。
用紙3は搬送ベルト4によって印刷部10へ搬送され、印刷可能な状態になる。
用紙3を切断する切断機構12と、切断された切断用紙140の送りと引き戻しとを行なう送り機構としての排紙ローラ13と、を有する。
引き戻し手段としての排紙ローラ13による引き戻しは、環境パラメータにより実施有無を切り替えることができる。また、引き戻しの量は印刷済みの切断用紙140を外気に触れない位置まで搬送可能な量である。また、排紙ローラ13は、プリンタドライバ上で有効/無効を選択可能である。
【００１５】
図３は、図２の搬送ベルト周辺についての斜視図である。
搬送ベルトの状態を説明するため、給紙補助ローラは図示しない。
図２で述べたように搬送部は、搬送ベルト4と、ローラ6a、6bとで構成され、テンションが付加されている。
ローラ6aの同軸延長上にはエンコーダ14の中心軸が設けられている。エンコーダ14には外周近傍に細かなエンコーダパターンが印刷されており、このエンコーダパターンを読み取るためのセンサ15が設けられている。
【００１６】
図３では用紙3の先端が印刷領域まで搬送された状態になっている。
用紙3を画像形成装置にセットした時には用紙3の先端は破線3aの位置にある。
用紙3は、先端が破線3aの位置から搬送ベルト4によって搬送されると先端がセンサ9の位置に到達する。
この破線3aの位置を基準として、用紙3を印刷位置である図３の状態に搬送する。
エンコーダ14のパターンを読み取ることによって、用紙3の位置制御を正確に制御できる。
用紙3が図３に示す位置まで到達し、印刷可能な状態になると、キャリッジ2が矢印P3方向に移動し、キャリッジ2に搭載された反射型センサ2aにより用紙3のテープ状の領域の幅を検出し、テープ状の領域で印刷を行なう。
印刷が終了すると、搬送ベルト4によって用紙3はさらに搬送され、次の印刷に備える状態になる。
【００１７】
図４は、本実施形態の画像形成装置の制御部のブロック図の一例である。
この制御部は、CPU54と、ROM55と、RAM56と、を備える。CPU54は、画像形成装置全体の制御を司る手段と、用紙の搬送動作及び記録ヘッド511の移動動作に関する制御を司る手段とを兼ねる。ROM55は、CPU54が実行するプログラム、その他の固定データを格納するROM55と、画像データ等を一時格納するRAM56を備える。
CPUは、Central Processing Unitの略である。ROMはRead Only Memoryの略である。RAMはRandom Access Memoryの略である。
制御部は、ホストI/F53と、ヘッド制御部514と、主走査モータ駆動部516と、副走査モータ駆動部519と、リニアエンコーダ521と、I/O59とを備える。
I/O59は湿度センサ525及び用紙先端検知センサ526からの信号をCPU54へ伝送する機能を有する。用紙先端検知センサ526は図３のセンサ9に対応する。
ホストI/F53は、ホスト側としてのプリンタドライバ51と、画像形成装置本体との間における制御信号やデータの送受を行なう機能を有する。
ヘッド制御部514は、記録ヘッド511を駆動するための駆動波形を生成すると共に、記録ヘッド511の圧力発生手段を選択駆動させる画像データ及びそれに伴う各種データをヘッドドライバ515に出力する。
キャリッジ510は、図３のキャリッジ2と同等である。
記録ヘッド511は、公知のインクジェット記録ヘッドである。
ヘッドドライバ515は、記録ヘッド511を駆動する機能を有する。
印刷制御部514はヘッドドライバ515を制御する機能を有する。
主走査モータ駆動部516は、主走査モータ517を駆動する機能を有する。
副走査モータ駆動部519は、副走査モータ520を駆動する機能を有する。
搬送ベルト513は図３の搬送ベルト3と同等である。
I/O59は、リニアエンコーダ521、ホイールエンコーダ522からの検出パルス、及びその他の各種センサからの検知信号を入力する機能を有する。
リニアエンコーダ521は、キャリッジ2の位置を検出する機能を有する。
切断機構524は、図１の切断機構12に相当する機構であり、例えば鉛直下向きに昇降可能な歯と、歯を移動させるソレノイドと、を有する。
切断制御部523は、切断機構524を駆動する機能を有する。
I/Fは、Inter/Faceの略であり、I/Oは、Input/Outputの略である。
【００１８】
また、この制御部には、画像形成装置に必要な情報の入力及び表示を行なうための操作パネル52が接続されている。
【００１９】
ここで、制御部は、パーソナルコンピュータ等の情報処理装置、イメージスキャナ等の画像読み取り装置、デジタルカメラ等の撮像装置等のホストのプリンタドライバ51が生成した印刷データ等をケーブル或いはネットワークを介してI/Fで受信する。
制御部のCPUは、I/Fの受信バッファ内の印刷データを読み出して解析し、ASICにて必要な画像処理やデータの並び替え処理等を行い、ヘッド制御部に転送し、ヘッド制御部から所要のタイミングでヘッドドライバに画像データや駆動波形を出力する。
【００２０】
尚、画像出力するためのドットパターンデータの生成は、例えばROMにフォントデータを格納して行っても良く、ホスト側のプリンタドライバで画像データをビットマップデータに展開してこの画像形成装置に転送するようにしても良い。ここでは、プリンタドライバで行なう。
ヘッド制御部の駆動波形生成部は、ROMに格納されてCPUで読み出される駆動パルスのパターンデータをD/A変換するD/A変換器及び増幅器等で構成され、1つ或いは複数の駆動パルスで構成される駆動波形をヘッドドライバ515に対して出力する。
ヘッドドライバ515は、シリアル入力される記録ヘッドの1行分相当の画像データとしてのドットパターンデータに基づきヘッド制御部の駆動波形生成部から与えられる駆動波形を構成する駆動パルスを選択的に記録ヘッドの圧力発生手段に印加する。この印加により記録ヘッドを駆動する。
【００２１】
尚、このヘッドドライバは、例えば、シフトレジスタと、ラッチ回路と、レベルシフタと、スイッチ手段と、を含み、スイッチ手段のオン／オフを制御することで駆動波形に含まれる所要の駆動パルスを選択的に記録ヘッドの圧力発生手段に印加する。
シフトレジスタは、クロック信号及び画像データであるシリアルデータを入力する。ラッチ回路は、シフトレジスタのレジスト値をラッチ信号でラッチする。レベルシフタは、ラッチ回路の出力値をレベル変化するレベル変換回路の一種である。スイッチ手段は、レベルシフタでオン/オフが制御されるアナログスイッチアレイである。
【００２２】
図５は、本画像形成装置の制御処理部の概要について説明するための説明図である。
図５は、図４のブロック図において、本画像形成装置に主に関わる印刷制御部、切断制御部、副走査モータ駆動部の制御処理について示したものである。
CPU54は、印刷制御部514、切断制御部523、副走査モータ駆動部519のそれぞれに対して命令を行なう。
印刷制御部514は、記録ヘッド511からインクを吐出する印刷制御を行なう。
副走査モータ駆動部519は、副走査モータに出力を加えることで搬送ベルト4を駆動して用紙3を搬送する用紙搬送制御を行なう。
切断制御部523は、連続用紙状態の用紙3を切断する切断制御を行なう。
【００２３】
（従来技術）
まず、従来技術について説明する。
図６〜図９は、印刷〜用紙切断〜用紙引き戻しまでの工程を説明するための説明図である。
【００２４】
(a)印刷〜切断位置まで搬送
図６は、用紙を印刷してから切断位置まで搬送するまでの状態を示す説明図である。
用紙3がロール状態から引き出され、上流側、すなわち図の右側に進み、搬送ベルト4と給紙補助ローラ7との間に挿入され、キャリッジ2の記録ヘッド511の下で印刷される。印刷された用紙3の先端は切断機構12を通過し、排紙ローラ13で印刷領域の後端より下流側の切断位置で停止するように搬送される。用紙3の印刷領域は画像形成装置の外側に位置することになる。下流側とは用紙3についてロール状の用紙側を意味し、上流側とは外気側を意味する。
【００２５】
(b)切断位置での切断
図７は、用紙の切断位置での切断の状態を示す説明図である。
用紙3の印刷領域の後端の下流側で切断機構12により切断される。切断用紙140は画像形成装置の外側に排出された状態で待機状態となる。
【００２６】
(c)連続用紙引き戻し
図８は、用紙の印刷後の引き戻しを説明するための説明図である。
切断後の搬送ベルト4は搬送方向とは逆の方向、すなわち図の左側に作動するので、印刷領域が切断された残りの用紙3の先端は、キャリッジ2の上流側に位置する。
【００２７】
(d)動作
図９は、従来の画像形成装置の動作を説明するためのフローチャートの一例である。
用紙へ印刷を行い、切断位置まで用紙を搬送する（ステップＳ１）。
用紙を切断し、用紙3である連続用紙と、用紙3が切断された切断用紙140とを分離させる。（ステップＳ２）。
連続用紙の先端を印刷部10まで引き戻し、印刷を再開する。このとき、切断用紙140は粘着面が上に向いた状態で外気にさらされている状態である（ステップＳ２）。
尚、用紙3の位置は、用紙先端検知センサ9で検知した用紙3の先端を基準とし、ホイールエンコーダによるカウンタで計測を行なう。
また、用紙3を切断する切断機構12を備え、切断機構12は切断制御部523によって制御される。湿度を測定する湿度センサ525，用紙先端を検知する用紙先端検知センサ526を備える。
【００２８】
図10は、切断後の用紙に埃が付着している状態を示す図である。
図のように、切断用紙140の粘着面が上に向いた状態で外気にさらされている状態で放置すると、埃150が用紙140の粘着面に付着してしまう。
以上が従来技術の説明である。
【００２９】
以降、本発明について説明を行なう。
図11は、一実施形態に係る画像形成装置の概念についての説明図である。
用紙3を切断機構12で切断した後（図７）、送り機構の排紙ローラ13と搬送ベルト4とによって切断用紙140を、画像形成装置の内部への引き戻しを行なう(図11)。
後続の印刷画像が無い場合でも、この状態を保持することで、用紙3、140が外気に触れることがないので、切断用紙140に埃150が付着することを防ぐことが可能である。
【００３０】
図12は、図11に示した画像形成装置の動作を説明するためのフローチャートの一例である。
まず、印刷制御部514が印刷制御により用紙3へ印刷を行なう(ステップＳ11)。
副走査モータ駆動部519が用紙搬送制御により用紙3を切断位置まで搬送する(ステップＳ12)。
切断制御部523が切断制御により用紙3を連続用紙と切断用紙140とに分離する(ステップＳ13)。
次に並行処理を行なう。並行処理はステップＳ14とステップＳ15とを並行して行なう処理である。
ステップＳ14の処理は、副走査モータ駆動部519が用紙搬送制御により連続用紙を印刷部10まで引き戻す処理である。ステップＳ15の処理は、副走査モータ駆動部519が送り機構により切断用紙140を搬送ベルト4まで引き戻す処理である。
【００３１】
図13は、環境、特に湿度による引き戻し判断について説明するための説明図である。
図13は、湿度テーブルの一例であり、湿度が０〜40％の範囲内の場合には引き戻しを行い、湿度が41〜100％の範囲内の場合には引き戻しを行なわないことを示している。
【００３２】
図14は、湿度による引き戻しの動作のフローチャートの一例である。
図14のように、図6aの湿度テーブルに従い、切断用紙の引き戻し有無を判定する。湿度は湿度センサで取得する。埃が付着しやすい低湿度環境では引き戻しを行い、埃が比較的付着しにくい高湿度環境では引き戻しを行なわない。
【００３３】
すなわち、印刷制御部514が印刷制御により用紙3へ印刷を行なう(ステップＳ21)。
副走査モータ駆動部519が用紙搬送制御により用紙3を切断位置まで搬送する(ステップＳ22)。
切断制御部523が切断制御により用紙3を連続用紙と切断用紙140とに分離する(ステップＳ23)。
湿度によって切断用紙140の引き戻し有無を判定する(ステップＳ24)。
切断用紙140を引き戻しするか否かを判断する(ステップＳ25)。
切断用紙140を引き戻ししない場合、副走査モータ駆動部519が用紙搬送制御により連続用紙を印刷部まで引き戻す(ステップＳ28)。
切断用紙を引き戻しする場合、２つの処理を並行して行なう。一方の処理は、副走査モータ駆動部519が用紙搬送制御により連続用紙を印刷部10まで引き戻す処理である。他方の処理は、副走査モータ駆動部519が送り機構により切断用紙140を搬送ベルト4まで引き戻す(ステップS27)。
【００３４】
図15は、用紙長に依存した引き戻し量についての説明図である。
(a)印刷部＜切断用紙の後端
切断用紙140の後端が印刷部10よりも前、すなわち下流側に位置する場合、切断用紙140は搬送ベルト4と切断機構12との間に位置する。
【００３５】
図16は、用紙長に依存した引き戻し量についての説明図である。
(b)印刷部＞切断用紙の後端
切断用紙140の後端が印刷部10よりも後、すなわち上流側に位置する場合、切断用紙140はほぼ搬送ベルト4の上から切断機構12との間に位置する。
【００３６】
図17は、用紙長に依存した引き戻しについての動作を示すフローチャートの一例である。
印刷制御部514が印刷制御により用紙3へ印刷を行なう(ステップS31)。
副走査モータ駆動部519が用紙制御により用紙3を切断位置まで搬送する(ステップS32)。
切断制御部523が切断制御により用紙3を連続用紙と切断用紙とに分離する(ステップS33)。
湿度によって切断用紙140の引き戻し有無を判定する(ステップS34,S35)。
切断用紙140を引き戻ししない場合、副走査モータ駆動部519が用紙搬送制御により連続用紙を印刷部10まで引き戻す(ステップS39)。
切断用紙を引き戻しする場合、２つの処理を並行して行なう。一方の処理は、輻走査モータ駆動部519が用紙搬送制御により連続用紙を印刷部10まで引き戻す(ステップS36)。他方の処理は、引き戻しタイミングを計り(ステップS37)、副走査モータ駆動部519が送り機構により切断用紙140を搬送ベルト4まで引き戻す(ステップS38)。
【００３７】
図15のように切断用紙140が所定の長さより短い場合、切断用紙140の先端が外気とプリンタ内部との間に位置するように連続用紙と切断用紙140とが所定の間隔となるように送り機構を搬送ベルトと同期させて引き戻す。
【００３８】
図16のように切断用紙140が所定の長さより長い場合、送り機構を搬送ベルト4と同期させ、切断用紙140の先端が外気とプリンタ内部の間に位置するように、引き戻しを行なう。この場合、印刷再開時には連続用紙を印刷部10まで搬送する必要がある。尚、所定の長さとは、例えば、印刷部10の長さと余白部とを含む長さである。
【００３９】
図18は、装置構成について説明するための説明図である。
切断用紙引き戻し機能を、PCのプリンタドライバのモニタやインクジェット記録装置の操作パネル上で、ON/OFFできる。
【００４０】
＜PCのプリンタドライバのモニタ＞
図19は、PCのプリンタドライバのモニタの一例である。
プリンタドライバには切断用紙引き戻し機能を有効または無効にするためのチェックボックスがある。チェックボックスにチェックするか否かで、機能の有効無効を選択することが可能である。
(i)「切断用紙引き戻し機能を有効にする」にチェックを入れると、機能が有効になり、引き戻しを行なう。
(ii)「切断用紙引き戻し機能を有効にする」にチェックを入れないと、機能が無効になり、引き戻しは行なわない。
(iii)もしくは(ii)の選択を行い、プリンタドライバからインクジェット記録装置へ印刷指令を送ると、選択に応じた制御をインクジェット記録装置が行なう。
【００４１】
＜操作パネル＞
図20は、操作パネルの一例である。
操作パネルには切断用紙引き戻し機能を有効または無効にするためのモードがある。当該モードへ移行し、機能の有効無効を選択することが可能である。
(a)「切断用紙引き戻し機能」を表示した状態でOKボタンを押下すると、機能が有効になり、引き戻しを行なう。
(b)「切断用紙引き戻し機能」を表示した状態でCAボタンを押下すると、機能が無効になり、引き戻しを行なわない。
(a)もしくは(b)の選択を行い、プリンタドライバから装置へ印刷指令を送ると、選択に応じた制御を装置が行なう。
【００４２】
＜プログラム＞
以上で説明した本発明に係る画像形成置は、コンピュータで処理を実行させるプログラムによって実現されている。コンピュータとしては、例えばパーソナルコンピュータやワークステーションなどの汎用的なものが挙げられるが、本発明はこれに限定されるものではない。よって、一例として、プログラムにより本発明の機能を実現する場合の説明を以下で行なう。
【００４３】
例えば、
画像形成装置のコンピュータに、
第一の搬送手段が用紙を搬送する手順、
キャリッジが、用紙の搬送方向と直交する方向に移動しながら記録ヘッドを用いて用紙に対して印刷を行なう手順、
位置検出手段が、用紙の搬送方向の位置を検出する手順、
切断手段が、用紙の切断を行なう手順、
第二の搬送手段が、印刷済みの用紙が切断された切断用紙を搬送する手順、を実行させるプログラムにおいて、
コンピュータに引き戻し手段が、切断後に印刷前の用紙を印刷位置まで引き戻すと同時に、印刷済みの切断用紙を引き戻す手順を実行させるプログラムが挙げられる。
【００４４】
これにより、プログラムが実行可能なコンピュータ環境さえあれば、どこにおいても本発明にかかる画像形成装置を実現することができる。
このようなプログラムは、コンピュータに読み取り可能な記憶媒体に記憶されていてもよい。
【００４５】
＜記憶媒体＞
ここで、記憶媒体としては、例えばCD−ROM、フレキシブルディスク(FD)、CD−R等のコンピュータで読み取り可能な記憶媒体、フラッシュメモリ、RAM、ROM、FeRAM等の半導体メモリやHDDが挙げられる。
【００４６】
CD−ROMは、Compact Disc Read Only Memoryの略である。フレキシブルディスクは、Flexible Disk：FDを意味する。CD−Rは、CD Recordableの略である。RAMは、Random-Access Memoryの略である。ROMは、Read-Only Memoryの略である。FeRAMは、Ferroelectric RAMの略で、強誘電体メモリを意味する。HDDは、Hard Disc Driveの略である。
【００４７】
＜作用効果＞
以上において、本実施形態によれば、環境、例えば低湿度環境のような埃が浮遊し易く付着し易い環境に応じて、切断用紙をプリンタ内部へ引き戻すので、上面部が粘着面の用紙を印刷する際に、切断用紙へ埃が付着しにくくすることができる。
【００４８】
尚、上述した実施の形態は、本発明の好適な実施の形態の一例を示すものであり、本発明はそれに限定されることなく、その要旨を逸脱しない範囲内において、種々変形実施が可能である。
【符号の説明】
【００４９】
１    画像形成装置
２、５１０    キャリッジ
２ａ    反射型センサ
３    用紙
３ａ    先端
４、５１３    搬送ベルト
６ａ、６ｂ    搬送ローラ
７    給紙補助ローラ
８    ファン
９、５２６    用紙先端検知センサ
１０    印刷部
１１    搬送入口部
１２    切断機構
１３    排紙ローラ
１４    エンコーダ
１５    センサ
５１    プリンタドライバ
５２    操作パネル
５３    ホストＩ／Ｆ
５４    ＣＰＵ
５５    ＲＯＭ
５６    ＲＡＭ
５９    Ｉ／Ｏ
１４０    切断用紙
１５０    埃
５１５    ヘッドドライバ
５１６    主走査モータ駆動部
５１７    主走査モータ
５１９    副走査モータ駆動部
５２０    副走査モータ
５２１    リニアエンコーダ
５２２    ホイールエンコーダ
５２３    切断制御部
５２４    切断機構
５２５    湿度センサ
【先行技術文献】
【特許文献】
【００５０】
【特許文献１】特許第２７５０２１５号公報
【図１】
2014231186.tif 000003
【図２】
2014231186.tif 000004
【図３】
2014231186.tif 000005
【図４】
2014231186.tif 000006
【図５】
2014231186.tif 000007
【図６】
2014231186.tif 000008
【図７】
2014231186.tif 000009
【図８】
2014231186.tif 000010
【図９】
2014231186.tif 000011
【図１０】
2014231186.tif 000012
【図１１】
2014231186.tif 000013
【図１２】
2014231186.tif 000014
【図１３】
2014231186.tif 000015
【図１４】
2014231186.tif 000016
【図１５】
2014231186.tif 000017
【図１６】
2014231186.tif 000018
【図１７】
2014231186.tif 000019
【図１８】
2014231186.tif 000020
【図１９】
2014231186.tif 000021
【図２０】
2014231186.tif 000022